(57)【特許請求の範囲】
【請求項１】
皮膚に鍼(N)を刺さずに鍼を打つ行為だけで治療効果を発揮するようになるイメージ療法の鍼施術をする時、上部に鍼が差し込まれるクッション層(20)が備えられ、下部に鍼の浸透を遮断する硬い素材の遮断板(10)を付着するが、その遮断板(10)の底面に皮膚に付着されるように粘着剤が塗布されたパッドにおいて、
上記クッション層(20)の表面に鍼が通過する時に通孔形態の跡を誘発するようになる保護膜(21)が付着され、上記遮断板(10)の中心部位に鍼(N)の先端部が挿入されながら患者の皮膚に接触するように誘導する通孔(11)が形成された構成を特徴とするイメージ療法鍼術用パッド。
【請求項２】
パネル形態でなる適当なサイズの遮断板(10)に多数の通孔(11)を均一サイズと間隔を維持するように形成するが、その底面に粘着剤を塗布し円滑に分離が可能にコーティングフィルム(30)でカバーされるようにし、上記遮断板(10)の上部に鍼が差し込まれるようになるクッション層(20)と薄い被膜形態の保護膜(21)を順次積層されるように接合してパッド母材を製造した後、カッター(図示せず)を用いて下部のコーティングフィルム(30)を除いた保護膜(21)とクッション層(20)及び遮断板(10)を円柱状にカッティングして1つ1つのパッドに分離されるようにしたことを特徴とするイメージ療法鍼術用パッド製造方法。
【発明の詳細な説明】
【技術分野】
【０００１】
本発明はイメージ療法鍼術用パッドとその製造方法(Pad and it's making method for acupuncture of a imagenation cure)に関するもので、より詳細には人体の経穴部位に鍼を差し込まずに鍼を打つ行為だけで連想作用を引き起こし治療効果を得るようになるイメージ療法の鍼術において、鍼が挿入支持されるクッション層とその挿入された鍼が皮膚に浸透しないように遮断しながら皮膚に付着される遮断板が上下に備えられたパッドを製作する時、上記クッション層の表面に使用の如何を肉眼で識別できる保護膜を形成し、パッドを再使用する時に発生する2次感染の危険を防止し、上記遮断板の中央部に鍼の先端部が流入しながら皮膚に接触するように誘導する通孔を形成して患者に鍼の触感が伝えられるようにして治療効果を高めるようになると同時に施術者が集中力を発揮して施術できるようにしたイメージ療法鍼術用パッドとその製造方法に関するものである。
【背景技術】
【０００２】
一般に、漢方医学で施術する鍼術は細く、鋭敏な鍼で人体に分布した経穴のうち、該当疾患に反応する部位に刺激(または磁鍼)を与え人体の気血を調節して疾患を治療するもので、伝来から現在に至るまで長期間普遍的な治療療法の一方法として通用されている。
【０００３】
このような鍼術はいかなる症状でも少なくとも1カ所以上鍼を差し込むことになり、それぞれの長さが異なる鍼を用いながら症状別に鍼が差し込まれる深さを異にして治療をする特性上、初めて鍼を打ったり、鍼に対する過敏反応を有する者には恐れと恐怖を与えることにより、鍼施術を忌避するようになる傾向があった。
【０００４】
最近、代替医学の一例として、薬学的な効果が全くない砂糖やその他澱粉などで作られたにせ物の薬を薬効がある本物であるかのように誤魔化し投与すると実際に患者が症状が好転したり良くなる場合を称する「プラシーボ効果」(placebo effect)を用いた治療法であるイメージ療法が等張した。
【０００５】
上記イメージ療法は、我々が楽しさや幸福感、心の平和及び平温のような望ましい感情を感じる時、身体では人体の治療体系を健康に導く化学物質が生成され、反対に恐れと憤怒、罪責感及び無力感のような望ましくない感情を感じる時は疾病と死に人体を導く化学物質が生成されるという事実を研究結果で立証したもので、種々の症状の臨床に体系的に適用されて疾病治癒に高い効果があることが明らかになった。
【０００６】
一方、鍼術分野にも鍼を皮膚に刺さずに鍼を打つ行為だけで治療効果が得られるように上部に鍼が挿入支持されるようにスポンジや発泡樹脂からなるクッション層が備えられ、その下部に鍼の先端部が皮膚に浸透しないように遮断する硬い素材の遮断板が付着されその遮断板の底面には皮膚に付着されるように粘着剤が塗布された刺激パッドが公知となったことがある。
【０００７】
即ち、上記刺激パッドは治療するための経穴部位の皮膚に遮断板を付着されるようにした状態でその上部に備えられたクッション層に鍼を差し込む時、鍼の先端部が遮断板に当接するようにして皮膚にはいかなる刺激も加えないまま鍼を打つ行為だけでイメージ鍼術効果を与えることができるようにしたものである。
【０００８】
しかし、上記従来の刺激パッドはクッション層に何度も鍼を差し込んだり抜く場合にも、使用の如何の識別が不可能で、再使用をする場合が頻繁であったため、このような再使用の過程でクッション層が損傷しながら微細な異物を誘発する非衛生的な欠陥があり、特に1回使用されたパッドを他者の皮膚に付着する過程で皮膚疾患が伝染したり2次感染を引き起こす等の非衛生的な問題があった。
【０００９】
また、パッドに備えられた遮断板は鍼の先端部と皮膚を根本的に遮断されるようにしたので鍼を打つという感覚や触感などが喪失してイメージ治療効果が少なくなり、クッション層のどこにでも無作為に鍼を差し込んでも鍼の先端部が遮断されるので施術者が集中しなくても施術が可能で、患者に信頼感を与えるのに不十分との問題もあった。
【発明の概要】
【発明が解決しようとする課題】
【００１０】
本発明は上記のような従来の刺激パッドの問題を勘案して発明したもので、その目的はパッドの再使用を防止し清潔が維持されるようにした状態で患者に鍼の触感を感じることができるようにしながら施術者が集中力を発揮するようにすることにより、治療効果を向上させることができるイメージ療法鍼術用パッドを提供するものである。
【００１１】
本発明の他の目的は、上記イメージ療法を用いた鍼術に用いられるパッドを大量に加工すると同時に 衛生的に取り扱うことができるようにするイメージ療法鍼術用パッド製造方法を提供するものである。
【課題を解決するための手段】
【００１２】
このような目的を達成するための本発明は、イメージ療法の鍼術に用いるパッドを製作する時、鍼が差し込まれるクッション層の表面に鍼が通過した時に生じる跡の存否によってパッドの使用を識別する保護膜を付着されるようにし、上記クッション層の下部に備えられて人体の経穴部位に付着される遮断板の中心部位に鍼の先端部が挿入され得る通孔を形成して上記保護膜とクッション層を順次通過しながら差し込まれるようになる鍼の先端部が患者の皮膚に接触するようにすることによって、パッドの再使用による非衛生を防止すると同時に患者に鍼の触感を伝えて治療効果を高める一方、施術者に集中力を発揮するようにすることを特徴とする。
【００１３】
また本発明は、パネル形態からなる硬い素材の遮断板に多数の通孔を均一サイズと間隔を維持するように形成した後、その底面に粘着剤を塗布して同一サイズのコーティング紙によりカバーされるようにし、上記パネルの上部面には鍼を差し込むことができる厚さのクッション層と薄い被膜形態の保護膜を順次積層されるように接合してパッド母材を製造した後、多数のパッド形状でなるカッターを用いて下部のコーティング紙を除いた保護膜とクッション層及び遮断板を円柱状態にカッティングして1つ1つに分離されるパッドを大量に加工するようになったことを特徴とする。
【発明の効果】
【００１４】
このような本発明のイメージ療法鍼術用パッド及びその製造方法はクッション層の表面に保護膜を付着して鍼が通過する時に発生する跡を通じて再使用を防止すると同時に異物の飛散が遮蔽されるようにして衛生的に用いることができる効果があり、鍼を施術する時に鍼の先端部が遮断板に形成された通孔に流入するようにして患者に鍼の感触と信頼感を与え治療効果を高める効果がある。
【００１５】
また本発明はパネル形態からなるパッド母材から円柱状からなる1つ1つのパッドを大量に加工して生産性と使用の利便性を向上させることができる長所もある。
【図面の簡単な説明】
【００１６】
【図１】図1は本発明のイメージ療法鍼術用パッドに鍼を差し込む前の状態を示した斜視図である。
【図２ａ】図2aは、上記イメージ療法鍼術用パッドに正常に鍼が差し込まれた状態を示した断面構成図である。
【図２ｂ】図2bは、上記イメージ療法鍼術用パッドに非正常に鍼が差し込まれた状態を示した断面構成図である。
【図３ａ】図3aは、上記イメージ療法鍼術用パッドの製造過程を順次示した状態を示した斜視図である。
【図３ｂ】図3bは、上記イメージ療法鍼術用パッドの製造過程を順次示した状態を示した斜視図である。
【図３ｃ】図3cは、上記イメージ療法鍼術用パッドの製造過程を順次示した状態を示した斜視図である。
【図３ｄ】図3dは、上記イメージ療法鍼術用パッドの製造過程を順次示した状態とその一部を引き出した斜視図である。
【図４】図4は、上記イメージ療法鍼術用パッドを用いたイメージ療法の鍼施術例を示した概要図である。
【発明を実施するための形態】
【００１７】
以下、本発明のイメージ療法鍼術用パッドとその製造方法を添付図面を参照して説明すると次の通りである。
【００１８】
図1は本発明のイメージ療法鍼術用パッドに鍼を差し込む前の状態を示した斜視図であり、図2a及び2bは、上記イメージ療法鍼術用パッドに正常に鍼が差し込まれた状態と非正常に鍼が差し込まれた状態をそれぞれ示した断面構成図であり、本発明は皮膚に鍼(N)を刺さずに鍼を打つ行為だけで治療効果を発揮するようになったイメージ療法の鍼施術をする時、人体の経穴部位に付着して鍼(N)を差し込むことが出来るようにしたパッドに関するものである。
【００１９】
本発明のパッドは患者の症状によって該当する経穴部位に付着されるように底面に粘着剤が塗布された原板型の遮断板(10)とその遮断板の上部に鍼(N)が差し込まれる円柱状のクッション層(20)及びクッション層の表面に付着されて鍼(N)が差し込まれる時に生じる跡の存否によってパッドの使用の如何を識別するようになる保護膜(21)で構成されている。
【００２０】
この時、上記クッション層(20)は鍼を差し込むのに適した密度を有する発泡性樹脂またはスポンジからなり、保護膜(21)は鍼が通過する時に容易に破れるよう薄い紙やビニルなどからなることが好ましい。
【００２１】
上記遮断板(10)の中心部位には鍼(N)の先端部が挿入され得る通孔(11)が形成され上記保護膜(21)とクッション層(20)を順次通過するように差し込まれる鍼の先端部が通孔(11)に誘導されながら患者の皮膚に接触するようにしたものである。
【００２２】
また、上記イメージ療法に用いられる鍼(N)は皮膚を刺さないように鍼の先端部が鈍い形態でなることが好ましく、遮断板(10)はその中央部位に形成された通孔(11)を除いた部位に鍼が差し込まれる時(図2b参照)皮膚に鍼が浸透しないように遮断する硬い素材のボール紙形態でなることが好ましい。
【００２３】
図3a〜3dは、上記イメージ療法鍼術用パッドの製造過程を順次示した斜視図であり、本発明のパッドは大量生産のため適当なサイズのパネル形態でなる遮断板(10)に多数の通孔(11)を同一サイズに規則的に配列されるように形成した状態でその底面の粘着剤が塗布された面をコーティングフィルム(30)で覆われるようにし、遮断板(10)の上部には同一サイズのクッション層(20)と保護膜(21)を順次積層されるように接合し、図3bでのようにパネル形態のパッド母材を製作した後、図3cでのように遮断板(10)に形成されたそれぞれの通孔(11)を中心に上部の保護膜(21)からクッション層(20)と遮断板(10)を同一サイズの円柱状にカッティングして多数のパッドに加工した状態で、図4dでのようにコーティングフィルム(30)からパッドを分離されるようにして用いるようになることによって大量に製作が可能であることはもちろん、衛生的に用いることができるのである。
【００２４】
図4は、上記イメージ療法鍼術用パッドを用いたイメージ療法の鍼施術例を示したもので、上記のような本発明、コーティングフィルム(30)に接合されているそれぞれのパッドを引き出して人体に分布した該当経穴に遮断板(10)を付着されるようにした状態で外部に露出されている保護膜(21)を鍼(N)で浸透するようにクッション層(20)に差し込まれるようにすることによって、患者にはいかなる痛みや恐れを与えない反面、治療効果を与えるイメージ療法の鍼術を施術することになる。
【００２５】
この時、鍼(N)の先端部が遮断板(10)に形成された通孔(11)に流入するようにし、皮膚に接触するようにすることにより、患者にはいかなる痛みや恐れを与えないながら鍼の感触を感じるようにして治療効果を高め、上記遮断板(10)に形成された通孔(11)に鍼を挿入されるようにする施術過程に集中力を発揮するようになるので施術者の技量を向上させると同時に患者に信頼感を与えることができるのである。
【００２６】
また。鍼術に用いられたパッドの保護膜(21)は鍼が浸透する過程で通孔形態の跡が残るようになるのでその識別の如何に応じて再使用を未然に防止するようになることによって、他の患者の皮膚に接触したパッドを再使用する時に発生する非衛生と2次感染の危険を防止し、鍼が差し込まれるようになるクッション層(20)が保護膜(21)により遮蔽されているのでクッション層に損傷が加えられる時に発生する破片や異物が保護膜により遮断されて清潔な状態で施術をできるのである。
【符号の説明】
【００２７】
10:遮断板
11:通孔
20:クッション層
21:保護膜
30:コーティングフィルム
N:鍼
【図１】
0005487340.tif 000002
【図２ａ】
0005487340.tif 000003
【図２ｂ】
0005487340.tif 000004
【図３ａ】
0005487340.tif 000005
【図３ｂ】
0005487340.tif 000006
【図３ｃ】
0005487340.tif 000007
【図３ｄ】
0005487340.tif 000008
【図４】
0005487340.tif 000009